(57)【要約】【課題】仮に締付ボルト体が折れることがあっても容易に取り外すことが可能である。【解決手段】頭部１ｂを有する軸部１ａに、雄ねじ部１ｃを形成した締付ボルト１であり、軸部１ａに、軸部１ａの折れる位置を限定する周方向の溝１ｄを形成し、溝１ｄの位置より雄ねじ部側の軸部に、対向する位置に係合部１ａ１を形成した。この係合部１ａ１は、断面形状を多角形状とする。また、係合部１ａ１は、軸部に軸方向に平面状の面を対向する位置に設けて形成した。締付ボルト１は、歯槽骨に挿入されて骨結合する筒体と、義歯を取り付ける支持台と、を締付固定する歯科用インプラントのボルトである。【選択図】図１
2012016529.tif 000002
【特許請求の範囲】
【請求項１】
頭部を有する軸部に、雄ねじ部を形成した締付ボルトであり、
前記軸部に、前記軸部の折れる位置を限定する周方向の溝を形成し、
前記溝の位置より前記雄ねじ部側の軸部に、対向する位置に係合部を形成したことを特徴とする締付ボルト。
【請求項２】
前記係合部は、断面形状を多角形状とすることを特徴とする請求項１に記載の締付ボルト。
【請求項３】
前記係合部は、前記軸部に軸方向に平面状の面を対向する位置に設けて形成したことを特徴とする請求項１に記載の締付ボルト。
【請求項４】
前記締付ボルトは、歯槽骨に挿入されて骨結合する筒体と、義歯を取り付ける支持台と、を締付固定する歯科用インプラントのボルトであることを特徴とする請求項１乃至請求項３のいずれか１項に記載の締付ボルト。
【発明の詳細な説明】
【技術分野】
【０００１】
この発明は、部材間の締め付け固定に用いられる締付ボルトに関する。
【背景技術】
【０００２】
従来から締付ボルトは、簡単に部材間を締め付け固定するものとして種々の分野で用いられ、最近では歯科用インプラントの締付ボルトとして用いられている。この歯科用インプラントの締付ボルトとして用いる場合には、例えばチタンを主成分とするインプラントと骨との結合力が強大で張力にも耐えるように設計されている（特許文献１）。
【先行技術文献】
【特許文献】
【０００３】
【特許文献１】特開２０００−１５７５５８号公報
【発明の概要】
【発明が解決しようとする課題】
【０００４】
ところで、このような歯科用インプラントでは、歯槽骨に挿入されて骨結合する筒体に頭部を係合して挿入し、締付ボルトのねじ部をナット体に螺着し、ナット体を引き上げて円筒体を外方へ広げるため、そのとき応力が締付ボルトの軸部に集中することになる。この状態で、頭部に強い回転力（トルク）を加えると、締付ボルトの軸部にねじれ力が作用し、軸部が途中で折れてしまうことがある。
【０００５】
また、歯科用インプラントでは、長年使用していると、食事をするときなどに、義歯にかかる負荷が所定以上になると、この負荷によって締付ボルトが軸部から折れることがある。
【０００６】
このように、仮に折れた締付ボルトは使用することができないから、取り外して新たな締付ボルトと交換する必要があるが、軸部で折れて頭部がなく、しかも軸部がねじ部の近傍で折れると、治療具によって軸部を挟んで逆方向に回転して取り外すことが困難であった。また、頭部近傍で折れることがあっても、治療具によって軸部を挟んでも、軸部に係止する部分がないために空回りして逆方向に回転して取り外すことが困難であった。
【０００７】
したがって、この発明は、従来技術における前記問題点に鑑みなされたもので、仮に軸部が折れることがあっても容易に取り外すことが可能な締付ボルトを提供することを目的とする。
【課題を解決するための手段】
【０００８】
前記課題を解決し、かつ目的を達成するために、この発明は、以下のように構成した。
【０００９】
請求項１に記載の発明は、頭部を有する軸部に、雄ねじ部を形成した締付ボルトであり、
前記軸部に、前記軸部の折れる位置を限定する周方向の溝を形成し、
前記溝の位置より前記雄ねじ部側の軸部に、対向する位置に係合部を形成したことを特徴とする締付ボルトである。
【００１０】
周方向の溝の位置は、軸部であればよいが、特に頭部側がよい。例えば、頭部の根元の位置において軸部が折れた場合には軸部が長く残り好ましい。また、周方向の溝は、軸部の全周に形成してもよく、一部に形成してもよい。また、周方向の溝の断面は、Ｖ字形状、Ｕ字形状などが好ましい。また、溝の深さはねじ部のねじ深さと同じか、それより深く形成することが好ましい。
【００１１】
係合部は、軸部の対向する位置であればよく、例えば治療具で挟んで容易に回して取り外すことができる。係合部の形状は軸部の端面を多角形に形成してもよく、また平面に切り欠いて形成してもよく、また凹みで形成してもよい。
【００１２】
請求項２に記載の発明は、前記係合部は、断面形状を多角形状とすることを特徴とする請求項１に記載の締付ボルトである。
【００１３】
請求項３に記載の発明は、前記係合部は、前記軸部に軸方向に平面状の面を対向する位置に設けて形成したことを特徴とする請求項１に記載の締付ボルトである。
【００１４】
請求項４に記載の発明は、前記締付ボルトは、歯槽骨に挿入されて骨結合する筒体と、義歯を取り付ける支持台と、を締付固定する歯科用インプラントのボルトであることを特徴とする請求項１乃至請求項３のいずれか１項に記載の締付ボルトである。
【発明の効果】
【００１５】
前記構成により、この発明は、以下のような効果を有する。
【００１６】
請求項１に記載の発明では、軸部に、軸部の折れる位置を限定する周方向の溝を形成したことで、所定以上の応力が軸部に集中すると、溝の位置で軸部が折れるから、例えば工具によって軸部の係合部を挟むことができ、空回りすることなく折れて残った軸部の部分を逆方向に回転して容易に取り外すことができる。また、係合部を、溝から雄ねじ部までの軸方向全長に渡って設けてもよく、例えば工具によって軸部の係合部を確実に挟み、係合部によって係止することができ、空回りすることなく折れて残った軸部の部分を逆方向に回転して容易に取り外すことができる。
【００１７】
請求項２に記載の発明では、係合部は、断面形状を多角形状とすることで、軸部の強度を損なうことなく、簡単な加工で係合部を形成することができる。
【００１８】
請求項３に記載の発明では、係合部は、軸部に軸方向に平面状の面を対向する位置に設けて形成したことで、簡単な加工で係合部を形成することができる。
【００１９】
請求項４に記載の発明では、締付ボルトが歯科用インプラントのボルトであり、義歯を取り付ける支持台に所定以上の応力が軸部に集中することがあると、溝の位置で軸部が折れるから支持台を取り外し、例えば治療具によって軸部の係合部を挟むと、係合部によって係止することができ、空回りすることなく折れて残った軸部の部分を逆方向に回転して容易に取り外すことができる。
【図面の簡単な説明】
【００２０】
【図１】第１の実施の形態にかかる歯科用インプラントの締付ボルトを示し、（ａ）は締付ボルトの側面図、（ａ）は軸部の断面図である。
【図２】第１の実施の形態にかかる歯科用インプラントの締付ボルトの使用状態を示す図である。
【図３】第１の実施の形態にかかる歯科用インプラントの締付ボルトの使用状態を示し、（ａ）は締付ボルトの側面図、（ａ）は軸部の断面図である。
【図４】第１の実施の形態にかかる歯科用インプラントの締付ボルトが破損した状態を示す図である。
【図５】第２の実施の形態にかかる歯科用インプラントの締付ボルトを示し、（ａ）は締付ボルトの側面図、（ａ）は軸部の断面図である。
【発明を実施するための形態】
【００２１】
以下、この発明の締付ボルトの実施の形態について説明する。この発明の実施の形態は、発明の最も好ましい形態を示すものであり、この発明はこれに限定されない。この実施の形態は、歯科用インプラントのボルトに適用したものであるが、部材間の締め付け固定に用いられる締付ボルトであればよい。
【００２２】
［第１の実施の形態］
図１の締付ボルト１は、第１の実施の形態にかかる歯科用インプラントのボルトであり、締付ボルト１は、軸部１ａと、軸部１ａの一方に頭部１ｂと、軸部１ａの他方にねじ部１ｃとを有し、チタン合金からなる。
【００２３】
軸部１ａには、周方向の環状の溝１ｄが断面Ｖ字状に形成されている。この環状の溝１ｄは、軸部１ａの折れる位置を限定する。この環状の溝１ｄは、軸部１ａであればよいが、特に頭部側がよい。例えば、環状の溝１ｄは、頭部１ａの根元に形成すると、軸部１ａが折れた場合には軸部１ａが長く残り好ましい。また、周方向の溝１ｄは、軸部１ａの全周に形成してもよく、一部に形成してもよい。また、溝１ｄの深さは雄ねじ部１ｃのねじ深さと同じか、それより深く形成することが好ましく、この場合は溝１ｄで強度が低下し、これにより確実に溝１ｄの位置で軸部１ａが折れる。
【００２４】
軸部１ａは、断面形状が六角形状である。このように六角形状に形成することによって、環状の溝１ｄの位置よりねじ部側の軸部１ａに係合部１ａ１が六ヶ所に形成されている。係合部１ａ１は、断面形状を多角形状とすることで、軸部１ａの強度を損なうことなく、簡単な加工で係合部１ａ１を形成することができる。また、係合部１ａ１を、溝１ｄから雄ねじ部１ｃまでの軸方向全長に渡って設けており、この構成によって例えば治療具によって軸部１ａの係合部１ａ１を確実に挟み、係合部１ａ１によって係止することができ、空回りすることなく折れて残った軸部１ａの部分を逆方向に回転して容易に取り外すことができる。
【００２５】
頭部１ｂは、円柱状で先端部に係合穴１ｂ１が形成され、この係合穴１ｂ１に工具の先端部を係合して回転する。雄ねじ部１ｃには、ナットが螺着され、このナットによって締め付け固定される。
【００２６】
この実施の形態の歯科用インプラント６０は、図２に示すように構成され、筒体６１と、支持体６２と、締付ボルト１とを有する。筒体６１には、外周に雄ねじ６１ａが設けられ、挿入孔６１ｂの先端側に雌ねじ６１ｃが設けられ、この筒体６１は歯槽骨に雄ねじ６１ａによってねじ込み挿入されて骨結合する。支持台６２は、支持軸部６２ａと、台部６２ｂとを有し、支持軸部６２ａには取付孔６２ｃが形成され、台部６２ｂには頭部挿入穴６２ｄが形成され、支持台６２の支持軸部６２ａは筒体６１の挿入孔６１ｂに挿入される。締付ボルト１は、軸部１ａを支持台６２の取付孔６２ｃに挿入し、雄ねじ部１ｃを筒体６１の雌ねじ６１ｃに螺着し、支持台６２を筒体６１に締付固定する。
【００２７】
この歯科用インプラント６０の使用は、図３（ａ）に示すように、筒体６１を雄ねじ６１ａによって歯槽骨９０にねじ込み挿入されて骨結合する。そして、支持台６２の支持軸部６２ａを、筒体６１の挿入孔６１ｂに挿入し、締付ボルト１の軸部１ａを、支持台６２の取付孔６２ｃに挿入して雄ねじ部１ｃを支持台６２の雌ねじ６１ｃに螺着し、支持台６２を筒体６１に締付固定する。
【００２８】
この締付ボルト１の螺着によって、締付ボルト１の頭部１ａが台部６２ｂの頭部挿入穴６２ｄに入り込み、支持台６２を筒体６１に締付固定する。このように、締付ボルト１の螺着によって支持台６２を筒体６１に締付固定し、図３（ｂ）に示すように、支持台６２の台部６２ｂに義歯１００を取り付ける。
【００２９】
このようにして、締付ボルト１の螺着によって支持台６２を筒体６１に締付固定するが、この支持台６２を筒体６１に締め付け固定に用いるときに、所定以上の応力が締付ボルト１の軸部１ａに集中し、この状態で頭部１ａに強い回転力（トルク）を加えて、軸部１ａにねじれ力が作用すると、図４に示すように、締付ボルト１の軸部１ａに、軸部１ａの折れる位置を限定する周方向の溝１ｄを形成したことで、溝１ｄの位置で軸部１ａが折れるから締め付け固定しようとする部材の支持台６２を分離することができる。
【００３０】
また、締付ボルト１の溝１ｄの位置より雄ねじ部側の軸部１ａに、対向する位置に係合部１ａ１を形成したから、例えば工具によって軸部１ａの係合部１ａ１を挟むと、係合部１ａ１によって係止することができ、空回りすることなく折れて残った軸部１ａの部分を逆方向に回転して容易に取り外すことができる。
【００３１】
また、歯科用インプラントでは、長年使用していると、食事をするときなどに、義歯１００にかかる負荷が所定以上になると、この負荷によって支持台６２から締付ボルト１にかかるが、締付ボルト１の溝１ｄの位置より雄ねじ部側の軸部１ａに、対向する位置に係合部１ａ１を形成したから、例えば工具によって軸部１ａの係合部１ａ１を挟むと、係合部１ａ１によって係止することができ、空回りすることなく折れて残った軸部１ａの部分を逆方向に回転して容易に取り外すことができる。
【００３２】
［第２の実施の形態］
図５は第２の実施の形態にかかる歯科用インプラントのボルトは、第１の実施の形態と同様に構成される部分は、同じ符号を付して説明を省略する。この実施の形態の締付ボルト１は、軸部１ａと、軸部１ａの一方に頭部１ｂと、軸部１ａの他方にねじ部１ｃとを有し、チタン合金からなり、軸部１ａは、軸方向に平面状の面を対向する位置に設けて係合部１ａ２が形成されている。係合部１ａ２は、軸部１ａに軸方向に平面状の面を対向する位置に設けて形成したことで、簡単な加工で係合部１ａ２を形成することができる。
【００３３】
この実施の形態の締付ボルト１は、応力が締付ボルト１の軸部１ａに集中しても、軸部１ａに、軸部１ａの折れる位置を限定する周方向の溝１ｄを形成したから、この溝１ｄの位置で軸部１ａが折れることがある。
【００３４】
そして、締付ボルト１の溝１ｄの位置よりねじ部側の軸部１ａに、対向する位置に係合部１ａ２を形成したから、締付ボルト１の頭部１ｂを筒体６１から取り出し、例えば工具によって係合部１ｂ２を挟むと、係合部１ｂ２によって係止することができ、工具が空回りすることなく折れて残った軸部１ａの部分を逆方向に回転して容易に筒体６１から取り外すことができる。
【産業上の利用可能性】
【００３５】
この発明は、部材間の締め付け固定に用いられる締付ボルトに適用でき、仮に締付ボルトが折れることがあっても容易に取り外すことが可能である。
【符号の説明】
【００３６】
１  締付ボルト
１ａ  軸部  １ａ１，１ａ２  係合部
１ｂ  頭部
１ｂ１  係合穴
１ｃ  ねじ部
１ｄ  溝
【図１】
2012016529.tif 000003
【図２】
2012016529.tif 000004
【図３】
2012016529.tif 000005
【図４】
2012016529.tif 000006
【図５】
2012016529.tif 000007